(57)【特許請求の範囲】
【請求項１】
内視鏡の挿入部に着脱自在に被覆される外套シース内に挿通配置されて、先端が上記外套シースの先端部分に開口し、基端が上記外套シースの基端から延出する可撓性のチャンネルチューブの上記基端部分を閉塞するための汚染防止型内視鏡のチャンネルチューブ閉塞具であって、
上記チャンネルチューブの基端部分の外周に沿う略半円形の断面形状の受け溝が形成された雌型と、上記チャンネルチューブの全ての内部空間が閉じる状態に上記チャンネルチューブの基端部分を上記雌型の受け溝に向かって押し潰す突起が形成された雄型とが設けられ、上記雌型と上記雄型との間に上記チャンネルチューブの基端部分を挟み込んで加熱することにより、上記チャンネルチューブの基端部分が、外径が大きくなることなく内部空間が全て溶着された状態に成形されるようにしたことを特徴とする汚染防止型内視鏡のチャンネルチューブ閉塞具。
【請求項２】
上記雌型と上記雄型との間に挟まれた状態の上記チャンネルチューブを、上記溶着が行われた部位で切断するように刃物を通過させるための刃物通過溝が、上記雌型と上記雄型とにまたがって形成されている請求項１記載の汚染防止型内視鏡のチャンネルチューブ閉塞具。
【発明の詳細な説明】
【０００１】
【発明の属する技術分野】
この発明は、内視鏡の挿入部に着脱自在に取り付けられる汚染防止用の外套シースを挿入部から取り外す際に、外套シースに取り付けられているチャンネルチューブの基端部分を閉塞するための汚染防止型内視鏡のチャンネルチューブ閉塞具に関する。
【０００２】
【従来の技術】
体内に挿入される内視鏡の挿入部が体内の汚液により汚染されないようにするためには、内視鏡の挿入部を外套シースで被覆するだけでなく、流体や処置具を通すために体内に通じるチャンネルチューブを外套シース側に設ける必要がある。
【０００３】
そのようなチャンネルチューブは、内視鏡の挿入部に着脱自在に被覆される外套シース内に挿通配置されて、先端が外套シースの先端部分に開口し、基端が外套シースの基端から延出するように配置され、挿入部に設けられているチャンネル案内路に通された状態で使用される（特開平１−２４４７３２号）。
【０００４】
【発明が解決しようとする課題】
上述のような外套シースが取り付けられた内視鏡は、一回の使用毎に外套シースが着脱交換され、外套シースに付着した汚液が他の物に移らないように取り扱われる。
【０００５】
しかし、外套シースが挿入部から取り外される際には、それと同時にチャンネルチューブがチャンネル案内路から抜去されるので、その際にチャンネルチューブ内に付着している汚液が飛び出して、内視鏡の操作部や挿入部など周囲の物を汚染するおそれがある。
【０００６】
したがって、外套シースを取り外す際には、チャンネルチューブを基端部分で閉塞しておく必要があるが、栓を差し込んだり偏平に押し潰して溶着するような方法では、その部分でチャンネルチューブの外径が大きくなってチャンネル案内路からチャンネルチューブを抜去することができなくなってしまう。
【０００７】
そこで本発明は、外套シースに取り付けられているチャンネルチューブを、基端部分において外径が大きくならないように確実に閉塞して、内視鏡のチャンネル案内路から清潔な状態で抜去することができる汚染防止型内視鏡のチャンネルチューブ閉塞具を提供することを目的とする。
【０００８】
【課題を解決するための手段】
上記の目的を達成するため、本発明の汚染防止型内視鏡のチャンネルチューブ閉塞具は、内視鏡の挿入部に着脱自在に被覆される外套シース内に挿通配置されて、先端が外套シースの先端部分に開口し、基端が外套シースの基端から延出する可撓性のチャンネルチューブの基端部分を閉塞するための汚染防止型内視鏡のチャンネルチューブ閉塞具であって、チャンネルチューブの基端部分の外周に沿う略半円形の断面形状の受け溝が形成された雌型と、チャンネルチューブの全ての内部空間が閉じる状態にチャンネルチューブの基端部分を雌型の受け溝に向かって押し潰す突起が形成された雄型とが設けられ、雌型と雄型との間にチャンネルチューブの基端部分を挟み込んで加熱することにより、チャンネルチューブの基端部分が、外径が大きくなることなく内部空間が全て溶着された状態に成形されるようにしたものである。
【０００９】
なお、雌型と雄型との間に挟まれた状態のチャンネルチューブを、溶着が行われた部位で切断するように刃物を通過させるための刃物通過溝が雌型と雄型とにまたがって形成されていてもよい。
【００１０】
【発明の実施の形態】
図面を参照して本発明の実施例を説明する。
図６は、汚染防止型内視鏡の一例を示しており、可撓管状の内視鏡の挿入部１１内には、軸線方向に全長にわたってチャンネル案内路１２が配置されている。
【００１１】
チャンネル案内路１２の両端は挿入部１１の両端部において開口しており、その基端側に着脱自在に取り付けられた基端アダプタ１３には、処置具挿入口金１４、送気送水チューブ１５及び吸引チューブ１６等が接続されるようになっている。
【００１２】
挿入部１１に着脱自在に被覆される外套シース２０は例えば薄いシリコンゴム等によって筒状に形成されていて、その先端部分は透明な先端キャップ２１によって塞がれている。
【００１３】
外套シース２０内には、例えばポリエチレン樹脂又は三フッ化エチレン樹脂等のような熱溶融性のある材料からなるチャンネルチューブ２２が全長にわたって軸線方向に挿通配置されており、チャンネルチューブ２２の先端２２ａは先端キャップ２１において外部に開口し、基端部分２２ｂは外套シース２０の基端から後方に延出している。
【００１４】
この実施例のチャンネルチューブ２２は、図７に断面形状が示されるように、送気路、送水路及び吸引路（兼処置具挿通路）等の複数の管路が独立して形成されたいわゆるマルチルーメンチューブである。
【００１５】
このように構成された汚染防止型内視鏡は、使用準備の際に、外套シース２０を挿入部１１に被覆するのと同時にチャンネルチューブ２２をチャンネル案内路１２に通して、チャンネルチューブ２２の基端部分を基端アダプタ１３に接続した状態で使用する。
【００１６】
そして、内視鏡検査が終了したら、挿入部１１から外套シース２０を取り外すのと同時にチャンネルチューブ２２を挿入部１１から抜去するので、チャンネルチューブ２２の基端部分２２ｂを露出配置部Ａにおいて閉塞、切断する。
【００１７】
図１は、そのようなチャンネルチューブ２２の基端部分２２ｂの閉塞、切断に用いられるチャンネルチューブ閉塞具を示しており、熱伝導性のよい例えば鉄又はステンレス鋼等の金属からなる雌型１と雄型３とによって構成されている。
【００１８】
そして、図２にも示されるように、雌型１には、チャンネルチューブ２２の基端部分２２ｂの外周にほぼピッタリに沿う大きさの略半円形の断面形状の受け溝２が形成され、雄型３には、チャンネルチューブ２２の基端部分２２ｂを雌型１の受け溝２に向かって押し潰す突起４が形成されている。
【００１９】
この雄型３の突起４は、図３に示されるように、突端が滑らかな半円状に形成されていて、チャンネルチューブ２２を受け溝２に押し付けて潰したときにチャンネルチューブ２２の全ての内部空間が閉じられた状態になる形状寸法に形成されている。
【００２０】
したがって、チャンネルチューブ２２がチャンネル案内路１２から抜去される前に、チャンネルチューブ２２を溶融する程度の温度に加熱された状態の雌型１と雄型３との間にチャンネルチューブ２２の基端部分２２ｂを挟み込むことにより、チャンネルチューブ２２の基端部分２２ｂが、図３に示される状態で加熱、溶融されて、外径が大きくなることなく内部空間が全て溶着されて閉塞された状態に成形される。
【００２１】
また、図１に示されるように、雌型１と雄型３には、両型１，３の間に挟み込まれた状態のチャンネルチューブ２２を溶着部で切断するように刃物を通過させるための刃物通過溝５が両型１，３にまたがって形成されている。
【００２２】
したがって、チャンネルチューブ２２の基端部分２２ｂが溶着、閉塞された後、図３に示されるように、刃物通過溝５内にカミソリ刃９等を通してチャンネルチューブ２２を溶着部で切断することにより、チャンネルチューブ２２を、内部の汚液が漏れ出さない状態でチャンネル案内路１２から抜去することができる。
【００２３】
なお、本発明は上記実施例に限定されるものではなく、例えば図４及び図５に示されるように、チャンネルチューブ２２が単純なシングルルーメン（単孔）のチューブであっても差し支えなく、また、基端部分２２ｂを切断することなくチャンネルチューブ２２をチャンネル案内路１２から抜去するようにしてもよい。
【００２４】
【発明の効果】
本発明によれば、チャンネルチューブの基端部分の外周に沿う略半円形の断面形状の受け溝が形成された雌型と、チャンネルチューブの全ての内部空間が閉じる状態にチャンネルチューブの基端部分を雌型の受け溝に向かって押し潰す突起が形成された雄型との間にチャンネルチューブの基端部分を挟み込んで加熱することにより、チャンネルチューブの基端部分を、外径が大きくなることなく内部空間が全て溶着された状態に成形することができるので、外套シースに取り付けられているチャンネルチューブを、基端部分において外径が大きくならないように確実に閉塞して、内視鏡のチャンネル案内路から清潔な状態で抜去することができる。
【図面の簡単な説明】
【図１】本発明の実施例の汚染防止型内視鏡のチャンネルチューブ閉塞具の斜視図である。
【図２】本発明の実施例の汚染防止型内視鏡のチャンネルチューブ閉塞具にマルチルーメンのチャンネルチューブがセットされた状態の断面図である。
【図３】本発明の実施例の汚染防止型内視鏡のチャンネルチューブ閉塞具によりマルチルーメンのチャンネルチューブが押し潰された状態の断面図である。
【図４】本発明の他の実施例の汚染防止型内視鏡のチャンネルチューブ閉塞具にシングルルーメンのチャンネルチューブがセットされた状態の断面図である。
【図５】本発明の他の実施例の汚染防止型内視鏡のチャンネルチューブ閉塞具によりシングルルーメンのチャンネルチューブが押し潰された状態の断面図である。
【図６】本発明の実施例の汚染防止型内視鏡の挿入部の斜視図である。
【図７】本発明の実施例のマルチルーメンのチャンネルチューブの断面図である。
【符号の説明】
１  雌型
２  受け溝
３  雄型
４  突起
５  刃物通過溝
１１  挿入部
１２  チャンネル案内路
２０  外套シース
２２  チャンネルチューブ
２２ｂ  基端部分
【図１】
0003902458.tif 000002
【図２】
0003902458.tif 000003
【図３】
0003902458.tif 000004
【図４】
0003902458.tif 000005
【図５】
0003902458.tif 000006
【図６】
0003902458.tif 000007
【図７】
0003902458.tif 000008